(57)【要約】【課題】磁気カードからのデータの不正な読み取りを防止することが可能な自動取引装置を提供する。【解決手段】カードが挿入され、前記カードの挿入方向と反対方向に突出して形成されるカード挿入部と、前記カード挿入部に挿入される前記カードを吸入するローラと、を備え、前記カード挿入部は、前記挿入方向と反対方向に凹となるように形成される切り欠き部を有し、前記切り欠き部の前記挿入方向の端部におけるカード挿入口から吸入開始位置までの長さは、前記カードの前記挿入方向の長さよりも短い、自動取引装置。【選択図】図４
2016024525.tif 000002
【特許請求の範囲】
【請求項１】
カードが挿入され、前記カードの挿入方向と反対方向に突出して形成されるカード挿入部と、
前記カード挿入部に挿入される前記カードを吸入するローラと、
を備え、
前記カード挿入部は、前記挿入方向と反対方向に凹となるように形成される切り欠き部を有し、
前記切り欠き部の前記挿入方向の端部におけるカード挿入口から吸入開始位置までの長さは、前記カードの前記挿入方向の長さよりも短い、自動取引装置。
【請求項２】
検出位置における前記カードの有無を検出する検出部と、
前記検出部によって検出される前記カードの有無に応じてローラの吸入動作を制御する制御部と、
をさらに備え、
前記吸入開始位置は、前記検出位置である、請求項１に記載の自動取引装置。
【請求項３】
前記カードの情報を読み取る読取部をさらに備え、
前記検出位置は、前記カードの搬送経路における、前記カード挿入部よりも前記挿入方向で、かつ前記読取部よりも前記挿入方向と反対の方向のいずれかの位置である、請求項２に記載の自動取引装置。
【請求項４】
前記検出位置は、前記カードの搬送経路における、第１のローラの組と挿入される前記カードとが接触する位置を通る、前記挿入方向と直交する方向のいずれかの位置であり、
前記第１のローラの組は、前記カード挿入部よりも前記挿入方向で、かつ前記読取部よりも前記挿入方向と反対の方向に設けられる、請求項３に記載の自動取引装置。
【請求項５】
前記検出位置は、前記カードの搬送経路における、前記第１のローラの組を構成する各ローラが前記接触する位置のうちのいずれの他の位置よりも互いに近接する位置を通る、前記挿入方向と直交する方向のいずれかの位置である、請求項４に記載の自動取引装置。
【請求項６】
前記切り欠き部は、前記読取部を通る、前記挿入方向と平行な直線が通る位置に形成される、請求項３〜５のいずれか１項に記載の自動取引装置。
【請求項７】
前記吸入開始位置から前記カード挿入部の前記挿入方向と反対方向の端部までの長さは、前記カードの前記挿入方向の長さよりも長い、請求項１〜６のいずれか１項に記載の自動取引装置。
【請求項８】
前記カード挿入部の前記挿入方向と反対方向の端部は、カード挿入口の長辺の一側にのみ接する部分が突出して形成される、請求項１〜７のいずれか１項に記載の自動取引装置。
【発明の詳細な説明】
【技術分野】
【０００１】
本発明は、自動取引装置に関する。
【背景技術】
【０００２】
近年、ＡＴＭ（Ａｕｔｏｍａｔｅｄ  Ｔｅｌｌｅｒ  Ｍａｃｈｉｎｅ）等の自動取引装置が普及し、銀行、駅構内またはコンビニエンスストア等の様々な場所に設置されるようになってきている。一般的に、自動取引装置においては、カードが挿入されると、当該カードの吸入が開始され装置内部に取り込まれる。
【０００３】
例えば、特許文献１では、カードおよび切符等の大きさの異なる２種類の媒体を吸入する装置であって、切符の挿入位置を誘導する形状を備える装置が開示されている。
【先行技術文献】
【特許文献】
【０００４】
【特許文献１】特許３３７０５１６
【発明の概要】
【発明が解決しようとする課題】
【０００５】
しかし、特許文献１で開示される発明では、挿入される磁気カードからのデータの不正な読み取りを防止することが困難であるという問題があった。そこで、本発明は、上記問題に鑑みてなされたものであり、本発明の目的とするところは、磁気カードからのデータの不正な読み取りを防止することが可能な、新規かつ改良された自動取引装置を提供することにある。
【課題を解決するための手段】
【０００６】
上記課題を解決するために、本発明のある観点によれば、カードが挿入され、前記カードの挿入方向と反対方向に突出して形成されるカード挿入部と、前記カード挿入部に挿入される前記カードを吸入するローラと、を備え、前記カード挿入部は、前記挿入方向と反対方向に凹となるように形成される切り欠き部を有し、前記切り欠き部の前記挿入方向の端部におけるカード挿入口から吸入開始位置までの長さは、前記カードの前記挿入方向の長さよりも短い、自動取引装置が提供される。
【０００７】
また、検出位置における前記カードの有無を検出する検出部と、前記検出部によって検出される前記カードの有無に応じてローラの吸入動作を制御する制御部と、をさらに備え、  前記吸入開始位置は、前記検出位置であってもよい。
【０００８】
また、前記カードの情報を読み取る読取部をさらに備え、前記検出位置は、前記カードの搬送経路における、前記カード挿入部よりも前記挿入方向で、かつ前記読取部よりも前記挿入方向と反対の方向のいずれかの位置であってもよい。
【０００９】
また、前記検出位置は、前記カードの搬送経路における、第１のローラの組と挿入される前記カードとが接触する位置を通る、前記挿入方向と直交する方向のいずれかの位置であり、前記第１のローラの組は、前記カード挿入部よりも前記挿入方向で、かつ前記読取部よりも前記挿入方向と反対の方向に設けられてもよい。
【００１０】
また、前記検出位置は、前記カードの搬送経路における、前記第１のローラの組を構成する各ローラが前記接触する位置のうちのいずれの他の位置よりも互いに近接する位置を通る、前記挿入方向と直交する方向のいずれかの位置であってもよい。
【００１１】
また、前記切り欠き部は、前記読取部を通る、前記挿入方向と平行な直線が通る位置に形成されてもよい。
【００１２】
また、前記吸入開始位置から前記カード挿入部の前記挿入方向と反対方向の端部までの長さは、前記カードの前記挿入方向の長さよりも長くてもよい。
【００１３】
また、前記カード挿入部の前記挿入方向と反対方向の端部は、カード挿入口の長辺の一側にのみ接する部分が突出して形成されてもよい。
【発明の効果】
【００１４】
以上説明したように本発明によれば、磁気カードからのデータの不正な読み取りを防止することが可能な自動取引装置が提供される。
【図面の簡単な説明】
【００１５】
【図１】従来の自動取引装置の斜視図である。
【図２】従来の自動取引装置に係るカード取扱部の側面から見た内部構造を示す図である。
【図３】従来の自動取引装置に係るカード取扱部の上面から見た内部構造を示す図である。
【図４】本発明の一実施形態に係る自動取引装置の斜視図である。
【図５】本実施形態に係る自動取引装置の機能および関連する外部機能の概略的な構成を示すブロック図である。
【図６】本実施形態に係る自動取引装置のカード・明細票取扱部の概略的な機能構成を示すブロック図である。
【図７】本実施形態に係る自動取引装置のカード取扱部の側面から見た内部構造を示す図である。
【図８】本実施形態に係る自動取引装置のカード取扱部の上面から見た内部構造を示す図である。
【図９】本実施形態における自動取引装置の処理を概念的に示すフローチャートである。
【図１０】本実施形態の第１の変形例に係る自動取引装置のカード取扱部の側面から見た内部構造を示す図である。
【図１１】本実施形態の第１の変形例に係る自動取引装置のカード取扱部の上面から見た内部構造を示す図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
＜１．従来技術の課題＞
まず、従来の自動取引装置における課題を説明する。図１は、従来の自動取引装置２００の斜視図である。
【００１８】
従来の自動取引装置２００は、図１に示したように、カード・明細票取扱部２０２、通帳取扱部２０３、紙幣取扱部２０４、硬貨取扱部２０５および表示・入力部２０６を備える。
【００１９】
カード・明細票取扱部２０２は、カードおよび明細票の吸入、排出および発行等の処理を行い、通帳取扱部２０３は、通帳の吸入および排出ならびに記帳等の処理を行う。紙幣取扱部２０４は、紙幣の入出金処理を行い、硬貨取扱部２０５は、硬貨の入出金処理を行う。表示・入力部２０６は、取引内容の表示および取引の際の入力操作の受付け等を行う。さらに、カード・明細票取扱部２０２を構成するカード取扱部２１０について、図２および図３を参照して説明する。図２は、従来の自動取引装置２００に係るカード取扱部２１０の側面から見た内部構造を示す図であり、図３は、従来の自動取引装置２００に係るカード取扱部２１０の上面から見た内部構造を示す図である。
【００２０】
カード取扱部２１０は、図２および図３に示したように、カード挿入部２１１、シャッタ２１２、搬送ローラ対２１３〜２１５、磁気ヘッド対２１６、挿入検出センサ２１７ならびに位置検出センサ２１８および２１９を備える。
【００２１】
カード挿入部２１１に近接して配置される挿入検出センサ２１７により磁気カード１０の挿入が検出されると、搬送ローラ対２１３〜２１５により磁気カード１０がカード取扱部２１０の本体部に引き込まれる。そして、カード取扱部２１０の本体部に配置される磁気ヘッド対２１６により磁気カード１０からデータが読み取られる。
【００２２】
しかし、従来の自動取引装置２００においては、カード挿入部２１１付近に磁気ヘッド等のカード情報読取装置（以下、スキミング装置とも称する。）が取り付けられ、磁気カード１０から不正にデータが読み取られる場合があった。そこで、本発明では、磁気カード１０からのデータの不正な読み取り（以下、スキミングとも称する。）を防止することが可能な自動取引装置を提供する。以下、本発明の一実施形態に係る自動取引装置の構成および処理について順次説明する。
【００２３】
＜２．本発明の一実施形態＞
以上、従来の自動取引装置２００の課題について説明した。次に、本発明の一実施形態に係る自動取引装置１００について説明する。
【００２４】
［２−１．装置の構成］
まず、図４および図５を参照して、本発明の一実施形態に係る自動取引装置１００の構成について説明する。図４は、本発明の一実施形態に係る自動取引装置１００の斜視図であり、図５は、本実施形態に係る自動取引装置１００の機能および関連する外部機能の概略的な構成を示すブロック図である。
【００２５】
自動取引装置１００は、図４および図５に示したように、制御部１０１、カード・明細票取扱部１０２、通帳取扱部１０３、紙幣取扱部１０４、硬貨取扱部１０５、表示・入力部１０６および電源部１０７を備える。また、自動取引装置１００は、ホストコンピュータ３００および外部の電源４００と接続される。
【００２６】
制御部１０１は、自動取引装置１００の動作全体を制御する。具体的には、制御部１０１は、上述したカード・明細票取扱部１０２等の各機能の動作を制御する。また、制御部１０１は、外部装置であるホストコンピュータ３００との間で通信を行う。例えば、制御部１０１は、取引処理の際にホストコンピュータ３００との間でデータの送受信を行い、自動取引装置１００の各機能に受信されるデータを提供する。
【００２７】
カード・明細票取扱部１０２は、カードの吸入および排出、吸入されるカードについてのデータの読み書き、ならびにカードの管理等を行う。例えば、カード・明細票取扱部１０２は、挿入される磁気カード、ＩＣ（ｉｎｔｅｇｒａｔｅｄ  ｃｉｒｃｕｉｔ）カードまたは振込カード等のカードのデータを読み取り、もしくは当該カードにデータを書き込む。また、カード・明細票取扱部１０２は、明細票の印字、発行および回収等を行う。なお、カード・明細票取扱部１０２の詳細については後述する。
【００２８】
通帳取扱部１０３は、通帳の吸入および排出、ならびに吸入される通帳についてデータ読み書きおよび印字等を行う。例えば、通帳取扱部１０３は、通帳入出口を通じて通帳を吸入し、吸入される通帳の持ち主を判別して、判別される持ち主のデータに基づく記帳等を行う。
【００２９】
紙幣取扱部１０４は、紙幣の入出金処理を行う。例えば、紙幣取扱部１０４は、紙幣の預け入れ、払い出し、計数、真偽認識および回収等を行う。また、硬貨取扱部１０５は、硬貨の入出金処理を行う。例えば、硬貨取扱部１０５は、硬貨の預け入れ、払い出し、計数、真偽認識および回収等を行う。
【００３０】
表示・入力部１０６は、取引に関する情報を顧客に向けて表示し、顧客によって行われる入力操作を受け付ける。例えば、表示・入力部１０６は、ＬＣＤ（Ｌｉｑｕｉｄ  Ｃｒｙｓｔａｌ  Ｄｉｓｐｌａｙ）等のディスプレイを用いたタッチパネル等であり得る。
【００３１】
電源部１０７は、外部の電源４００から供給される電力を自動取引装置１００の各部に提供する。例えば、電源部１０７は、制御部１０１の指示に基づいて、外部の電源４００から供給される電力に基づく自動取引装置１００の各部に向けた電力供給の開始および停止を行う。
【００３２】
（カード・明細票取扱部の詳細）
次に、図６を参照してカード・明細票取扱部１０２の構成の詳細について説明する。図６は、本実施形態に係る自動取引装置１００のカード・明細票取扱部１０２の概略的な機能構成を示すブロック図である。
【００３３】
カード・明細票取扱部１０２は、図６に示したように、制御部１１１、カード取扱部１１２、カード印字部１１３、カード発行部１１４、カード取込部１１５、明細票印字部１１６、明細票供給部１１７および明細票取込部１１８を備える。
【００３４】
制御部１１１は、カード・明細票取扱部１０２の動作全体を制御する。例えば、制御部１１１は、上述したカード取扱部１１２等の各機能の動作を制御する。
【００３５】
カード取扱部１１２は、カードの吸入および排出、ならびに吸入されるカードについてデータの読み書きを行う。例えば、カード取扱部１１２は、自動取引装置１００の内部に吸入される磁気カードもしくはＩＣカードについてデータの読み取りおよび書き込み、または吸入されるカードの表面に形成されるエンボス等の読み取り等を行う。
【００３６】
カード印字部１１３は、カードの券面への印字を行う。例えば、カード印字部１１３は、振込カード等の券面に取引結果等の情報を印字する。
【００３７】
カード発行部１１４は、カードを新たに発行する。例えば、自動取引装置１００は新規カードが装填される装填部を備え、カード発行部１１４は装填部から新規カードを繰り出してカードを発行する。
【００３８】
カード取込部１１５は、排出されるカードを回収する。例えば、カード取込部１１５は、取引後に排出されるカードを顧客が取り忘れた場合等に、一定時間放置されたカードを取り込んで収納する。
【００３９】
明細票印字部１１６は、明細票を発行する。例えば、明細票印字部１１６は、取引結果等を用紙に印字し、当該用紙を切断して明細票を発行する。
【００４０】
明細票供給部１１７は、明細票となる用紙を供給する。例えば、明細票供給部１１７は、明細票印字部１１６の動作に合わせて、明細票となる用紙を明細票印字部１１６に供給する。
【００４１】
明細票取込部１１８は、排出される明細票を回収する。例えば、明細票取込部１１８は、明細票印字部１１６により発行され、排出された明細票が顧客により受け取られないまま一定期間が経過した場合、当該明細票を回収し収納する。なお、明細票取込部１１８は、自動取引装置１００の障害情報が記載された帳票、精査票および保守履歴票等も明細票と同様に回収する。
【００４２】
（カード取扱部１１２の詳細）
さらに、図７および図８を参照してカード取扱部１１２の構成の詳細について説明する。図７は、本実施形態に係る自動取引装置１００のカード取扱部１１２の側面から見た内部構造を示す図であり、図８は、本実施形態に係る自動取引装置１００のカード取扱部１１２の上面から見た内部構造を示す図である。
【００４３】
カード取扱部１１２は、図７および図８に示したように、カード挿入部１２１、シャッタ１２２、搬送ローラ対１２３〜１２５、磁気ヘッド対１２６、挿入検出センサ１２７ならびに位置検出センサ１２８〜１３０を備える。また、カード取扱部１１２は動作制御部（図示せず。）を備える。
【００４４】
カード挿入部１２１は、磁気カード１０の挿入を受け付ける。具体的には、カード挿入部１２１は、カード挿入口を有し、カード挿入口に挿入される１種類の磁気カード１０を自動取引装置１００の内部に誘導する。また、カード挿入部１２１は、磁気カード１０の挿入方向（以下、挿入方向とも称する。）と反対方向に突出して形成される。例えば、図７に示したように、磁気カード１０は、カード挿入口（図示せず。）を介してカード挿入部１２１内部を通過し、カード取扱部１１２の本体部、すなわち自動取引装置１００の内部に誘導される。ここで、１種類のカードには、挿入方向と水平に直交する方向の長さが同じであるカードが含まれる。なお、カード挿入部１２１は、自動取引装置１００の筐体と一体として形成されてもよく、当該筐体に取り付けられてもよい。
【００４５】
また、カード挿入部１２１は、磁気カード１０の挿入方向と反対方向に凹となるように形成される切り欠き部を有する。具体的には、カード挿入部１２１には、切り欠き部の挿入方向の端部におけるカード挿入口から磁気カード１０の吸入開始位置までの長さが磁気カード１０の挿入方向の長さよりも短くなるように、切り欠き部が形成される。
【００４６】
例えば、図８に示したように、切り欠き部はカード挿入部１２１の挿入方向と反対方向の端部に設けられ、挿入方向と反対方向に凹となるように形成される。さらに、切り欠き部は、図８に示したように、切り欠き部の挿入方向の端部におけるカード挿入口から磁気カード１０の吸入開始位置までの長さＤ２が磁気カード１０の挿入方向の長さＤ１よりも短くなるように形成される。なお、吸入開始位置は、磁気カード１０の挿入方向の先端が当該吸入開始位置に到達した際に、磁気カード１０を吸入する動作が開始される位置である。当該吸入開始位置は、後述する位置検出センサ１２８の検出位置によって実質的に決定される。
【００４７】
さらに、切り欠き部は、後述する磁気ヘッド対１２６と対応する位置に形成される。具体的には、切り欠き部は、磁気ヘッド対１２６を通る、挿入方向と平行な直線が通る位置に形成される。例えば、図８に示したように、切り欠き部は、磁気ヘッド対１２６、すなわち磁気カード１０の磁気ストライプを通る挿入方向の直線が通るカード挿入部１２１の端部に形成される。
【００４８】
なお、切り欠き部の形成される位置は、磁気ヘッド対１２６を通る、挿入方向と平行な直線のすべてが通る位置に形成され、切り欠き部の水平方向の幅は、磁気ヘッド対１２６の水平方向の幅、すなわち磁気カード１０の磁気ストライプの幅と同程度の長さであることが望ましい。この場合、切り欠き部にスキミング装置の磁気ヘッドが設置されても、磁気ヘッドと切り欠き部との水平方向の間に隙間が生じないため、磁気カード１０を押し込むことが困難となる。その結果、磁気カード１０が吸入されず、磁気カード１０のデータが読み取られることがないので、スキミングのより確実な防止が可能となる。
【００４９】
なお、切り欠き部の形状は、図８に示した形状に限定されない。例えば、図８に示した切り欠き部の形状は磁気カード１０の表面に対して垂直方向に貫通されているが、切り欠き部の形状は貫通されずに、カード挿入口の周辺のカード挿入部１２１の一部が切り取られたような形状であってもよい。また、挿入方向と直交する方向の幅は、指の幅程度の長さであってもよく、指の幅よりも長くてもよい。
【００５０】
シャッタ１２２は、磁気カード１０の挿入に応じて開閉される。具体的には、シャッタ１２２は、磁気カード１０が挿入された際に開けられ、磁気カード１０の吸入が完了した際に閉められる。例えば、自動取引装置１００は、シャッタ１２２の開閉動作を制御する駆動装置を備え、駆動装置は動作制御部の指示に従ってシャッタ１２２の開閉を行う。
【００５１】
搬送ローラ対１２３〜１２５は、挿入される磁気カード１０を搬送する。具体的には、搬送ローラ対１２３〜１２５は、それぞれ対抗する複数の搬送ローラの組で構成され、磁気カード１０は、当該複数の搬送ローラの間に挟まれ、各搬送ローラが挿入方向に回転することによって挿入方向に搬送される。例えば、図７に示したように、搬送ローラ対１２３〜１２５は、それぞれ２つの搬送ローラの組で構成される。例えば、搬送ローラ対１２３は、２つの搬送ローラが互いに近接する位置付近まで磁気カード１０が挿入された際に、挿入方向にそれぞれ回転する各搬送ローラと磁気カード１０との摩擦力によって磁気カード１０は挿入方向に搬送される。
【００５２】
また、搬送ローラ対１２３〜１２５は、動作制御部の指示に基づいて動作する。具体的には、搬送ローラ対１２３〜１２５の各搬送ローラは、動作制御部による指示に基づいて回転を開始し、および停止する。例えば、自動取引装置１００は、搬送ローラ対１２３〜１２５の各搬送ローラの回転を制御する駆動装置を備え、動作制御部は当該駆動装置に動作を指示する。例えば、駆動装置は、ＤＣ（Ｄｉｒｅｃｔ  Ｃｕｒｒｅｎｔ）サーボモータまたはパルスモータ等の駆動モータを有し、当該駆動モータの回転を動力源として搬送ローラ対１２３〜１２５を回転させる。なお、駆動装置により回転させられていない状態の各搬送ローラは挿入される磁気カード１０との摩擦によっても回転され得る。
【００５３】
磁気ヘッド対１２６は、読取部として、磁気カード１０の有する情報を読み取る。例えば、磁気ヘッド対１２６は、接触する磁気カード１０が搬送されてスライドされることにより、磁気カード１０の磁気ストライプに記憶される情報を読み取る。なお、磁気カード１０はカードの一面に磁気層が付されたカードであってもよい。
【００５４】
挿入検出センサ１２７は、挿入される磁気カード１０を検出する。具体的には、挿入検出センサ１２７は、カード挿入部１２１よりも挿入方向であって、シャッタ１２２よりも挿入方向と反対方向に配置され、磁気カード１０の有無を検出する。そして、動作制御部は、挿入検出センサ１２７の検出結果を用いて磁気カード１０の挿入を検出する。例えば、挿入検出センサ１２７は、発光センサおよび受光センサで構成される光学センサ等であり得る。図７に示したように、挿入検出センサ１２７を構成する発光センサおよび受光センサが垂直方向に対となるように配置され、磁気カード１０が検出位置に到達した際に、発光センサの受光センサに向けて発する光が遮られて挿入検出センサ１２７は磁気カード１０を検出する。すなわち、検出位置は、挿入される磁気カード１０の挿入経路と挿入検出センサ１２７の光路との交点である。なお、挿入検出センサ１２７は、磁気カード１０を検出することが可能なセンサであれば、センサの種類は限定されない。例えば、挿入検出センサ１２７は、発光センサおよび受光センサを一体として備え、発光センサが発する光の反射光を受光センサが受光し、受光レベルに基づいて挿入検出センサ１２７は磁気カード１０の有無を検出してもよい。
【００５５】
位置検出センサ１２８〜１３０は、磁気カード１０を検出する。具体的には、位置検出センサ１２８〜１３０は、固定的に配置され、検出位置における磁気カード１０の有無を検出する。動作制御部は、位置検出センサ１２８〜１３０の検出結果を用いて磁気カード１０の位置を検出する。例えば、位置検出センサ１２８〜１３０は、挿入検出センサ１２７と同様に、発光センサおよび受光センサで構成される光学センサ等であり得る。
【００５６】
また、位置検出センサ１２８は、磁気カード１０の搬送経路における、カード挿入部１２１よりも挿入方向で、かつ磁気ヘッド対１２６よりも挿入方向と反対の方向のいずれかの位置を検出位置とする。例えば、位置検出センサ１２８は、磁気カード１０の搬送経路における、搬送ローラ対１２３と挿入される磁気カード１０とが接触する位置を通る、挿入方向と直交する方向のいずれかの位置を検出位置とする。なお、搬送ローラ対１２３は、カード挿入部１２１よりも挿入方向で、かつ磁気ヘッド対１２６よりも挿入方向と反対の方向に設けられる。
【００５７】
より具体的には、位置検出センサ１２８は、磁気カード１０の搬送経路における、搬送ローラ対１２３を構成する各搬送ローラが、搬送ローラ対１２３と磁気カード１０とが接触する位置のうちのいずれの他の位置よりも互いに近接する位置を通る、挿入方向と直交する方向のいずれかの位置を検出位置とする。例えば、図８に示したように、搬送ローラ対１２３は、カード挿入部１２１よりも挿入方向で、かつ磁気ヘッド対１２６よりも挿入方向と反対の方向に設けられる。そして、位置検出センサ１２８は、磁気カード１０の搬送経路上であって、搬送ローラ対１２３の中心、すなわち各搬送ローラが最も接近する位置を通る直線上に配置される。
【００５８】
なお、図８に示したように、位置検出センサ１２９は、搬送ローラ対１２４の中心を通る直線上に配置され、位置検出センサ１３０は、搬送ローラ対１２５の中心よりも挿入方向の位置を通る直線上に配置される。
【００５９】
また、上記では、挿入検出センサ１２７および位置検出センサ１２８〜１３０は、発光センサおよび受光センサが垂直方向に対向するように配置される例を説明したが、発光センサおよび受光センサが水平方向に対向するように配置されてもよい。
【００６０】
動作制御部は、カード取扱部１１２の動作全体を制御する。具体的には、動作制御部は、搬送ローラ対１２３〜１２５の動作を制御する。より具体的には、動作制御部は、位置検出センサ１２８〜１３０によって検出される磁気カード１０の有無に応じて搬送ローラ対１２３〜１２５の各搬送ローラの吸入動作を制御する。例えば、動作制御部は、位置検出センサ１２８によって磁気カード１０が検出された際に、搬送ローラ対１２３〜１２５の駆動装置に回転開始指示を行う。そして、当該指示を受ける駆動装置が駆動モータの回転を開始させることによって搬送ローラ対１２３〜１２５の各搬送ローラが回転され、磁気カード１０が吸入される。また、動作制御部は、位置検出センサ１３０によって磁気カード１０が検出された際に、搬送ローラ対１２３〜１２５の駆動装置に回転停止指示を行う。そして、当該指示を受ける駆動装置が駆動モータの回転を停止させることによって搬送ローラ対１２３〜１２５の各搬送ローラの回転が停止され、磁気カード１０の吸入が停止される。
【００６１】
また、動作制御部は、シャッタ１２２の開閉動作を制御する。具体的には、動作制御部は、挿入検出センサ１２７によって検出される磁気カード１０の有無に応じてシャッタ１２２の開閉動作を制御する。例えば、動作制御部は、挿入検出センサ１２７によって磁気カード１０が検出された際に、シャッタ１２２の開閉を制御する駆動装置にシャッタの開放指示を行う。そして、当該指示を受ける駆動装置によって、図７に示したように、磁気カード１０が通過可能なようにシャッタ１２２が上方に移動される。また、動作制御部は、位置検出センサ１２９によって磁気カード１０が検出された際に、シャッタ１２２の駆動装置にシャッタの閉鎖指示を行う。そして、当該指示を受ける駆動装置によって、シャッタ１２２が元の位置に下ろされる。
【００６２】
［２−２．装置の処理］
次に、本実施形態における自動取引装置１００の処理について図９を参照して説明する。図９は、本実施形態における自動取引装置１００の処理を概念的に示すフローチャートである。
【００６３】
まず、自動取引装置１００は、磁気カード１０の挿入を検出するまで待機する（ステップＳ５０２）。具体的には、挿入検出センサ１２７は、カード挿入部１２１を通過して挿入される磁気カード１０を検出する。そして、動作制御部は、挿入検出センサ１２７の検出結果に基づいて磁気カード１０の挿入を検出する。
【００６４】
磁気カード１０の挿入が検出された際に、自動取引装置１００は、シャッタ１２２を開ける（ステップＳ５０４）。具体的には、挿入検出センサ１２７によって磁気カード１０が検出された際に、動作制御部はシャッタ１２２の駆動装置に向けてシャッタ開放指示を行う。そして、当該指示を受ける駆動装置はシャッタ１２２を開放させる。
【００６５】
次に、自動取引装置１００は、磁気カード１０の先端が吸入開始位置に到達するまで待機する（ステップＳ５０６）。具体的には、位置検出センサ１２８は、シャッタ１２２を通過して吸入開始位置に到達する磁気カード１０を検出する。
【００６６】
磁気カード１０の先端が吸入開始位置に到達した際に、自動取引装置１００は、磁気カード１０の吸入を開始する（ステップＳ５０８）。具体的には、位置検出センサ１２８によって磁気カード１０が検出された際に、動作制御部は搬送ローラ対１２３〜１２５の駆動装置に回転開始指示を行う。そして、当該指示を受ける駆動装置は駆動モータの回転を開始させることにより、搬送ローラ対１２３〜１２５の各搬送ローラの回転が開始され、磁気カード１０の吸入が開始される。
【００６７】
次に、自動取引装置１００は、磁気カード１０の先端がシャッタ閉位置に到達するまで待機する（ステップＳ５１０）。具体的には、位置検出センサ１２９は、搬送ローラ対１２３を通過して搬送される磁気カード１０を検出する。
【００６８】
磁気カード１０の先端がシャッタ閉位置に到達した際に、自動取引装置１００は、シャッタ１２２を閉じる（ステップＳ５１２）。具体的には、位置検出センサ１２９によって磁気カード１０が検出された際に、動作制御部はシャッタ１２２の駆動装置に向けてシャッタ閉鎖指示を行う。そして、当該指示を受ける駆動装置はシャッタ１２２を閉鎖させる。
【００６９】
次に、自動取引装置１００は、磁気カード１０の先端が吸入完了位置に到達するまで待機する（ステップＳ５１４）。具体的には、位置検出センサ１３０は、搬送ローラ対１２４を通過して搬送される磁気カード１０を検出する。
【００７０】
磁気カード１０の先端が吸入完了位置に到達した際に、自動取引装置１００は、磁気カード１０の吸入を停止する（ステップＳ５１６）。具体的には、位置検出センサ１３０によって磁気カード１０が検出された際に、動作制御部は搬送ローラ対１２３〜１２５の駆動装置に回転停止指示を行う。そして、当該指示を受ける駆動装置は駆動モータの回転を停止させることにより、搬送ローラ対１２３〜１２５の各搬送ローラの回転が停止され、磁気カード１０の吸入が停止される。
【００７１】
なお、ステップＳ５１２〜Ｓ５１６の間に、自動取引装置１００は、磁気カード１０から情報を読み取る。具体的には、磁気ヘッド対１２６は、搬送される磁気カード１０の磁気ストライプから情報を読み取る。また、磁気ヘッド対１２６による情報の読み取りのほか、別途エンボスの読み取り等が行われてもよい。
【００７２】
このように、本発明の一実施形態によれば、自動取引装置１００は、１種類の磁気カード１０が挿入され、挿入方向と反対方向に突出して形成されるカード挿入部１２１と、カード挿入部１２１に挿入される磁気カード１０を吸入する搬送ローラ対１２３〜１２５と、を備える。そして、カード挿入部１２１は、挿入方向と反対方向に凹となるように形成される切り欠き部を有し、切り欠き部の挿入方向の端部におけるカード挿入口から吸入開始位置までの長さは、磁気カード１０の挿入方向の長さよりも短い。このため、磁気カード１０の後端が切り欠き部の挿入方向の端部まで押し込まれた際に、磁気カード１０の先端が吸入開始位置に到達することとなる。したがって、カード挿入部１２１にスキミング装置が取り付けられた状態では、磁気カード１０の後端を切り欠き部の挿入方向の端部まで押し込むことができない。そのため、磁気カード１０の吸入が開始されないことにより、スキミング装置が取り付けられていることが発見され、磁気カード１０の情報の不正な読み取りを防止することが可能となる。
【００７３】
また、自動取引装置１００は、検出位置における磁気カード１０の有無を検出する位置検出センサ１２８と、位置検出センサ１２８によって検出される磁気カード１０の有無に応じて搬送ローラ対１２３〜１２５の吸入動作を制御する動作制御部と、を備える。そして、吸入開始位置は、位置検出センサ１２８の検出位置である。このため、吸入開始位置まで磁気カード１０が挿入されないと吸入が開始されないことにより、スキミング装置が取り付けられた状態で偶然に磁気カード１０が吸入され、磁気カード１０の情報が不正に読み取られる可能性を低下させることが可能となる。
【００７４】
また、自動取引装置１００は、磁気カード１０の情報を読み取る磁気ヘッド対１２６を備える。そして、位置検出センサ１２８の検出位置は、磁気カード１０の搬送経路における、カード挿入部１２１よりも挿入方向で、かつ磁気ヘッド対１２６よりも挿入方向と反対の方向のいずれかの位置である。このため、吸入開始位置についてある程度の自由度を持たせることにより、切り欠き部の挿入方向の長さ、またはカード挿入部１２１の突出方向の長さ等に応じて吸入開始位置を決めることができ、カード挿入部１２１の形状について選択の幅を広げることが可能となる。
【００７５】
また、位置検出センサ１２８の検出位置は、磁気カード１０の搬送経路における、搬送ローラ対１２３と磁気カード１０とが接触する位置を通る、挿入方向と直交する方向のいずれかの位置である。そして、搬送ローラ対１２３は、カード挿入部１２１よりも挿入方向で、かつ磁気ヘッド対１２６よりも挿入方向と反対の方向に設けられる。このため、搬送ローラ対１２３と磁気カード１０とが接触するまで、搬送ローラが回転されないことにより、スキミング装置が取り付けられた状態で挿入される磁気カード１０が偶然に吸入される可能性をより低下させることが可能となる。
【００７６】
また、位置検出センサ１２８の検出位置は、磁気カード１０の搬送経路における、搬送ローラ対１２３を構成する各搬送ローラが、搬送ローラ対１２３と磁気カード１０とが接触する位置のうちのいずれの他の位置よりも互いに近接する位置を通る、挿入方向と直交する方向のいずれかの位置である。このため、スキミング装置が取り付けられた状態で偶然に磁気カード１０が搬送ローラ対１２３と接触する場合であっても、さらに磁気カード１０が奥に押し込まれない場合には搬送ローラが回転されない。これにより、スキミング装置が取り付けられた状態で挿入される磁気カード１０が偶然に吸入される可能性をさらに低下させることが可能となる。
【００７７】
また、切り欠き部は、磁気ヘッド対１２６を通る、挿入方向と平行な直線が通る位置に形成される。このため、吸入される磁気カード１０の磁気ストライプが切り欠き部を通ることになる。そのため、水平方向の幅がカード挿入部１２１の幅よりも短いスキミング装置が取り付けられる場合であっても、スキミング装置の磁気ヘッドを切り欠き部に設置しなければ磁気カード１０のデータを読み取ることは困難である。しかし、切り欠き部に磁気ヘッドを設置すると、磁気カード１０を押し込むことが難しくなるため、磁気カード１０が吸入されず、ユーザはスキミング装置に気付くことができ、データの不正な読み取りの防止が可能となる。
【００７８】
［２−３．変形例］
以上、本発明の一実施形態について説明した。なお、本実施形態は、上述の例に限定されない。以下に、本実施形態の第１、第２の変形例について説明する。
【００７９】
（第１の変形例）
本実施形態の第１の変形例として、カード挿入口に隣接するカード挿入部１２１の一部は自動取引装置１００の外部に突出するように形成されてもよい。具体的には、カード挿入部１２１の挿入方向と反対方向の端部は、カード挿入口の長辺の一側にのみ接する部分が突出して形成される。以下、当該突出部分をステージ部とも称する。さらに、本変形例のカード挿入部１２１の形状について、図１０および図１１を参照して詳細に説明する。図１０は、本実施形態の第１の変形例に係る自動取引装置１００のカード取扱部１１２の側面から見た内部構造を示す図であり、図１１は、本実施形態の第１の変形例に係る自動取引装置１００のカード取扱部１１２の上面から見た内部構造を示す図である。
【００８０】
カード取扱部１１２は、第１の実施形態と同様、図１０および図１１に示したように、カード挿入部１２１、シャッタ１２２、搬送ローラ対１２３〜１２５、磁気ヘッド対１２６、挿入検出センサ１２７ならびに位置検出センサ１２８〜１３０を備える。
【００８１】
カード挿入部１２１の挿入方向と反対方向の端部は、カード挿入口の長辺の一側にのみ接する部分が突出して形成される。例えば、図１０に示したように、カード挿入部１２１の挿入方向と反対方向の端部のうち、カード挿入口よりも下方部分が他の部分よりも挿入方向と反対方向に長さＤ３だけ突出され得る。そのため、顧客が磁気カード１０を挿入する際に、顧客が磁気カード１０の先端をステージ部に当て、ステージ部上を滑らせることにより、磁気カード１０をカード挿入口に挿入し易くなる。
【００８２】
このように、本実施形態の第１の変形例によれば、カード挿入部１２１の挿入方向と反対方向の端部は、カード挿入口の長辺の一側にのみ接する部分が突出して形成される。このため、カード挿入部１２１にステージ部が設けられることにより、スキミングを防止しながら顧客の操作性を向上させることが可能となる。
【００８３】
なお、上記では、ステージ部はカード挿入部１２１のカード挿入口よりも下方部分に設けられる例を説明したが、ステージ部はカード挿入部１２１のカード挿入口よりも上方部分に設けられてもよい。また、図１１では、カード挿入口よりも下方部分の全範囲が突出される例を示したが、カード挿入口の下辺のみに接する、カード挿入口よりも下方部分の一部のみが突出されてもよい。また、ステージ部はカード挿入部１２１の一部を突出させることによって形成される例を説明したが、ステージ部はカード挿入部１２１の一部と切り取ることによって形成されてもよい。
【００８４】
（第２の変形例）
本実施形態の第２の変形例として、カード取扱部１１２は、磁気カード１０の後端まで磁気カード１０がカード挿入部１２１内に挿入されないと、磁気カード１０の吸入が開始されないように形成されてもよい。具体的には、カード取扱部１１２は、吸入開始位置からカード挿入部１２１の挿入方向と反対方向の端部までの長さが、磁気カード１０の挿入方向の長さよりも長くなるように形成される。
【００８５】
例えば、カード取扱部１１２は、図７に示したように、位置検出センサ１２８の検出位置である搬送ローラ対１２３の各搬送ローラの接点からカード挿入部１２１の挿入方向と反対方向の端部までの長さが、磁気カード１０の挿入方向の長さＤ１よりも長くなるように形成される。
【００８６】
このように、本実施形態の第２の変形例によれば、吸入開始位置からカード挿入部１２１の挿入方向と反対方向の端部までの長さが、磁気カード１０の挿入方向の長さよりも長い。このため、スキミング装置が取り付けられた状態では磁気カード１０の後端をカード挿入部１２１の端部よりも挿入方向に押し込むことが困難になり、スキミングをより確実に防止することが可能となる。
【００８７】
＜３．むすび＞
以上、本発明の一実施形態によれば、カード挿入部１２１にスキミング装置が取り付けられた状態では、磁気カード１０の吸入が開始されないため、スキミング装置が取り付けられていることが発見され、磁気カード１０の情報の不正な読み取りを防止することが可能となる。
【００８８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８９】
例えば、上記実施形態では、磁気カード１０はカードの長辺方向を挿入方向として挿入する例を説明したが、本発明はかかる例に限定されない。例えば、磁気カード１０はカードの短辺方向を挿入方向として挿入されてもよい。
【００９０】
また、上記実施形態では、カード取扱部１１２は位置検出センサ１２８〜１３０を備える例を説明したが、さらに別の位置検出センサが備えられてもよい。例えば、位置検出センサ１２８と１２９との間に別途位置検出センサが設けられてもよい。
【００９１】
また、例えば、自動取引装置１００の動作全体を制御する制御部１０１は、専用のハードウェアによって構成されてもよく、自動取引装置１００に内蔵されたＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶されたプログラムをＲＡＭ（Ｒａｎｄｏｍ  Ａｃｃｅｓｓ  Ｍｅｍｏｒｙ）に展開して実行することにより実現されてもよい。当該プログラムが提供され得るほか、当該プログラムを記憶させた記憶媒体も提供され得る。
【００９２】
また、制御部１１１および動作制御部も制御部１０１と同様に、専用のハードウェアによって構成されてもよく、自動取引装置１００に内蔵されたＣＰＵがＲＯＭに記憶されたプログラムをＲＡＭに展開して実行することにより実現されてもよい。当該プログラムが提供され得るほか、当該プログラムを記憶させた記憶媒体も提供され得る。
【符号の説明】
【００９３】
１０      磁気カード
１００    自動取引装置
１０１    制御部
１０２    カード・明細票取扱部
１０３    通帳取扱部
１０４    紙幣取扱部
１０５    硬貨取扱部
１０６    表示・入力部
１０７    電源部
１１１    制御部
１１２    カード取扱部
１１３    カード印字部
１１４    カード発行部
１１５    カード取込部
１１６    明細票印字部
１１７    明細票供給部
１１８    明細票取込部
１２１    カード挿入部
１２２    シャッタ
１２３、１２４、１２５    搬送ローラ対
１２６    磁気ヘッド対
１２７    挿入検出センサ
１２８、１２９、１３０    位置検出センサ
２００    自動取引装置
３００    ホストコンピュータ
４００    電源
【図１】
2016024525.tif 000003
【図２】
2016024525.tif 000004
【図３】
2016024525.tif 000005
【図４】
2016024525.tif 000006
【図５】
2016024525.tif 000007
【図６】
2016024525.tif 000008
【図７】
2016024525.tif 000009
【図８】
2016024525.tif 000010
【図９】
2016024525.tif 000011
【図１０】
2016024525.tif 000012
【図１１】
2016024525.tif 000013